(57)【要約】【課題】ウエイトを用いることなく風管の振れを抑制できる掘削機および風管構造体を提供する。【解決手段】掘削機１は、ロッド１０が内側に挿通される伸縮自在な筒状の風管４０と、ロッド振止部材３０の昇降のための昇降用ワイヤ５０におけるベースマシン２とリーダトップ２１との間に取り付けられたガイドワイヤ吊り治具６０と、ロッド振止部材３０に一端が取り付けられるとともに、ロッド振止部材３０からリーダトップ２１を経由してガイドワイヤ吊り治具６０まで配索されてガイドワイヤ吊り治具６０に他端が取り付けられ、風管４０の伸縮を案内する複数の風管ガイドワイヤ７０とを備える。【選択図】図１
0003207409.tif 000002
【実用新案登録請求の範囲】
【請求項１】
ベースマシンと、
前記ベースマシンに立設されたリーダと、
前記リーダに吊り下げ支持されたロッドと、
前記リーダに昇降移動可能に設けられたロッド振止部材と、
前記ロッド振止部材に下端が取り付けられかつ前記ロッドが内側に挿通される伸縮自在な筒状の風管と、
前記ロッド振止部材に一端が取り付けられるとともに、当該ロッド振止部材から前記リーダのリーダトップを経由して前記ベースマシンまで配索され、前記ベースマシンにおいて巻き取りおよび繰り出しされる昇降用ワイヤと、
前記昇降用ワイヤにおける前記ベースマシンと前記リーダトップとの間に取り付けられたガイドワイヤ吊り治具と、
前記ロッド振止部材に一端が取り付けられるとともに、当該ロッド振止部材から前記リーダトップを経由して前記ガイドワイヤ吊り治具まで配索されて当該ガイドワイヤ吊り治具に他端が取り付けられ、前記風管の伸縮を案内する複数の風管ガイドワイヤと、
を備えることを特徴とする掘削機。
【請求項２】
前記風管ガイドワイヤの前記一端が、弾性部材を介して前記ロッド振止部材に取り付けられていることを特徴とする請求項１に記載の掘削機。
【請求項３】
前記風管ガイドワイヤの前記他端が、弾性部材を介して前記ガイドワイヤ吊り治具に取り付けられていることを特徴とする請求項１または請求項２に記載の掘削機。
【請求項４】
前記リーダに前記ロッド振止部材より上方でかつ前記リーダに昇降移動可能に設けられた補助ロッド振止部材をさらに備え、
前記風管の上端が、前記補助ロッド振止部材に取り付けられることを特徴とする請求項１〜請求項３のいずれか一項に記載の掘削機。
【請求項５】
ベースマシンと、
前記ベースマシンに立設されたリーダと、
前記リーダに吊り下げ支持されたロッドと、
前記リーダに昇降移動可能に設けられたロッド振止部材と、
前記ロッド振止部材に一端が取り付けられるとともに、当該ロッド振止部材から前記リーダのリーダトップを経由して前記ベースマシンまで配索され、前記ベースマシンにおいて巻き取りおよび繰り出しされる昇降用ワイヤとを備える掘削機に取付可能な風管構造体であって、
前記ロッド振止部材に下端が取り付け可能でかつ前記ロッドが内側に挿通可能な伸縮自在の筒状の風管と、
前記昇降用ワイヤにおける前記ベースマシンと前記リーダトップとの間に取り付け可能なガイドワイヤ吊り治具と、
前記ロッド振止部材に一端が取り付け可能でかつ当該ロッド振止部材から前記リーダトップを経由して前記ガイドワイヤ吊り治具まで配索されて当該ガイドワイヤ吊り治具に他端が取り付け可能な前記風管の伸縮を案内する複数の風管ガイドワイヤを備えることを特徴とする風管構造体。
【考案の詳細な説明】
【技術分野】
【０００１】
本考案は、掘削機および風管構造体に関する。
【背景技術】
【０００２】
例えば、掘削機は、回転軸と、回転軸の軸方向に沿って所定のピッチで螺旋状に巻き付けられた螺旋羽根とからなるオーガとも呼ばれる掘削用のロッドを備えている。そして、掘削機は、ロッドを回転させることにより地中を掘り進めて地盤を掘削している。
【０００３】
地盤を掘削する場合、ロッドに付着した土、汚泥等が回転などによって周辺に飛散してしまう問題があった。そこで、ロッドの外側に風管を配置して、土、汚泥等の飛散を防止する構成が提案されている（特許文献１参照）。風管は、外気の風および掘削機から生じる風により振れてしまい作業を滞らせることがある。この問題に対しては、風管の両側に風管ガイドワイヤを垂下して配置し、各風管ガイドワイヤの下端にウエイトを取り付け、重みで緊張させて振れを抑える構成が採用されている。
【先行技術文献】
【特許文献】
【０００４】
【特許文献１】特開平４−２３７７１８号公報
【考案の概要】
【考案が解決しようとする課題】
【０００５】
しかしながら、このような構成を採用した場合、掘削機の移動、掘削機の作業振動、または掘削機リーダの起臥などによりウエイトが揺れてしまい、作業性の低下を招くおそれがあった。
【０００６】
本考案は、上記問題に鑑み、ウエイトを用いることなく風管の振れを抑制できる掘削機および風管構造体を提供することを目的とする。
【課題を解決するための手段】
【０００７】
上記課題を解決するためになされた本考案の一態様の掘削機は、ベースマシンと、前記ベースマシンに立設されたリーダと、前記リーダに吊り下げ支持されたロッドと、前記リーダに昇降移動可能に設けられたロッド振止部材と、前記ロッド振止部材に下端が取り付けられかつ前記ロッドが内側に挿通される伸縮自在な筒状の風管と、前記ロッド振止部材に一端が取り付けられるとともに、当該ロッド振止部材から前記リーダのリーダトップを経由して前記ベースマシンまで配索され、前記ベースマシンにおいて巻き取りおよび繰り出しされる昇降用ワイヤと、前記昇降用ワイヤにおける前記ベースマシンと前記リーダトップとの間に取り付けられたガイドワイヤ吊り治具と、前記ロッド振止部材に一端が取り付けられるとともに、当該ロッド振止部材から前記リーダトップを経由して前記ガイドワイヤ吊り治具まで配索されて当該ガイドワイヤ吊り治具に他端が取り付けられ、前記風管の伸縮を案内する複数の風管ガイドワイヤと、を備えることを特徴とする。
【０００８】
本考案においては、前記風管ガイドワイヤの前記一端が、弾性部材を介して前記ロッド振止部材に取り付けられていることが好ましい。前記風管ガイドワイヤの前記他端が、弾性部材を介して前記ガイドワイヤ吊り治具に取り付けられていることが好ましい。前記リーダに前記ロッド振止部材より上方でかつ前記リーダに昇降移動可能に設けられた補助ロッド振止部材をさらに備え、前記風管の上端が、前記補助ロッド振止部材に取り付けられていてもよい。
【０００９】
上記課題を解決するためになされた本考案の他の一態様の風管構造体は、ベースマシンと、前記ベースマシンに立設されたリーダと、前記リーダに吊り下げ支持されたロッドと、前記リーダに昇降移動可能に設けられたロッド振止部材と、前記ロッド振止部材に一端が取り付けられるとともに、当該ロッド振止部材から前記リーダのリーダトップを経由して前記ベースマシンまで配索され、前記ベースマシンにおいて巻き取りおよび繰り出しされる昇降用ワイヤとを備える掘削機に取付可能な風管構造体であって、前記ロッド振止部材に下端が取り付け可能でかつ前記ロッドが内側に挿通可能な伸縮自在の筒状の風管と、前記昇降用ワイヤにおける前記ベースマシンと前記リーダトップとの間に取り付け可能なガイドワイヤ吊り治具と、前記ロッド振止部材に一端が取り付け可能でかつ当該ロッド振止部材から前記リーダトップを経由して前記ガイドワイヤ吊り治具まで配索されて当該ガイドワイヤ吊り治具に他端が取り付け可能な前記風管の伸縮を案内する複数の風管ガイドワイヤを備えることを特徴とする。
【考案の効果】
【００１０】
本考案によれば、風管の伸縮を案内する風管ガイドワイヤが、昇降用ワイヤの一端が取り付けられたロッド振止部材と昇降用ワイヤに取り付けられたガイドワイヤ吊り治具との間に配索されているので、これらの間において風管ガイドワイヤの弛みを抑制した状態で配索することができる。そのため、ウエイトを用いることなく風管の振れを抑制できる。
【図面の簡単な説明】
【００１１】
【図１】実施の形態における掘削機の概略側面図である。
【図２】図１の掘削機が備えるガイドワイヤ吊り治具の概略図である。
【図３】図１の掘削機のロッドの継ぎ足しまたは切り離しを示す概略図である。
【図４】従来の掘削機のロッドの継ぎ足しまたは切り離しを示す概略図である。
【考案を実施するための形態】
【００１２】
以下に、本考案の実施の形態について、図を参照しながら説明する。
【００１３】
本考案の実施の形態に係る掘削機１は、図１に示すように、ベースマシン２と、ベースマシン２に立設されたリーダ２０と、リーダ２０に沿ってスライド移動可能に取り付けられた駆動部材１１と、駆動部材１１を介してリーダ２０に吊り下げ支持されたロッド１０と、リーダ２０に沿ってスライド移動可能に設けられたロッド振止部材３０と、ロッド振止部材３０に下端が取り付けられかつロッド１０が内側に挿通される伸縮自在な筒状の風管４０と、ロッド振止部材３０に一端が取り付けられるとともに、ロッド振止部材３０からリーダ２０のリーダトップ２１を経由してベースマシン２まで配索され、ベースマシン２において巻き取りおよび繰り出しされる昇降用ワイヤ５０と、昇降用ワイヤ５０におけるベースマシン２とリーダトップ２１との間に取り付けられたガイドワイヤ吊り治具６０と、ロッド振止部材３０に一端が取り付けられるとともに、ロッド振止部材３０からリーダトップ２１を経由してガイドワイヤ吊り治具６０まで配索されてガイドワイヤ吊り治具６０に他端が取り付けられ、風管４０の伸縮を案内する複数の風管ガイドワイヤ７０と、補助ロッド振止部材８０と、を備える。
【００１４】
ベースマシン２は、掘削機１の本体部であって、エンジンおよびキャタピラ、タイヤ等の走行装置が備えられており自走することが可能である。ベースマシン２は、後述するリーダ２０が取り付けられており、リーダ２０を地面に対して垂直に起こしたり（図１）地面に対して角度を付けて寝かせたり（図３）してリーダ２０の起臥を制御することができる。ベースマシン２は、後述する昇降用ワイヤ５０の巻き取りおよび繰り出しを行うドラム５１を備える。
【００１５】
リーダ２０は、柱状に形成されており、ベースマシン２に対して揺動可能となるように当該ベースマシン２に下端が取り付けられ、ベースマシン２により姿勢を立てたり寝かせたりされる。リーダ２０の正面（図１の右側面）には、リーダ延在方向に沿って設けられたレール２２を有している。レール２２は、例えば、駆動部材１１およびロッド振止部材３０がスライド移動可能に取り付けられておりそれらをリーダ延在方向に沿ってスライド移動させる際の基軸としての機能を有する。
【００１６】
リーダ２０の上端であるリーダトップ２１は、後述する昇降用ワイヤ５０および風管ガイドワイヤ７０の摺動を容易にするための摩擦低減機構を備えており、例えば、図１に示すように、リーダトップ２１に、風管ガイドワイヤ７０の摺動を容易にする滑車７１、７２が設けられている。また、図示はないが、昇降用ワイヤ５０の摺動を容易にする滑車も設けられている。
【００１７】
ロッド１０は、例えば、回転軸と、回転軸の軸方向に沿って所定のピッチで螺旋状に巻き付けられた螺旋羽根とから構成される。ロッド１０に設けられた螺旋羽根は、回転することで接触した地盤を削り上げながら、地盤を掘削する。ロッド１０の上端は、リーダ２０のレール２２に支持された駆動部材１１に取り付けられて吊り下げ支持される。ロッド１０の下端には、切削ビット（図示しない）を備えている。
【００１８】
駆動部材１１は、モータおよび歯車機構を有する減速機などで構成され、ロッド１０を回転駆動するとともに、その回転速度を制御して地盤の掘削速度を調整する。駆動部材１１は、レール２２に支持するための支持部材１２を備え、リーダ２０に沿ってスライド可能に支持され、取り付けたロッド１０の掘り進みまたは引き上げの制御を行うことができる。図１で示した掘削機１は、駆動部材１１に取り付けるロッド１０を１本として示したが、複数本のロッド１０を取り付ける構成であってもよい。
【００１９】
ロッド振止部材３０は、内側にロッド１０を挿通して配置され、ロッド１０の下部の振れを抑制する振れ止め機能を有する。ロッド振止部材３０は、支持部材３２を介して、リーダ２０のレール２２にスライド移動可能に支持される。ロッド振止部材３０のスライド移動は、ベースマシン２に備えられたドラム５１と接続した昇降用ワイヤ５０によって行われる。
【００２０】
昇降用ワイヤ５０は、一端がロッド振止部材３０の支持部材３２に取り付けられ、他端がベースマシン２に備えられたドラム５１に取り付けられており、リーダ２０の正面側からリーダトップ２１を経由して背面側に至るように、リーダ２０に沿って摺動可能に配索される。ドラム５１は、昇降用ワイヤ５０の巻き取りおよび繰り出しを行って、ロッド振止部材３０の昇降を制御する。
【００２１】
ガイドワイヤ吊り治具６０は、昇降用ワイヤ５０上で、ベースマシン２とリーダトップ２１との間に位置する箇所に取り付けられる。ガイドワイヤ吊り治具６０は、図２に示すように、ボルトおよびナット等を用いた固定器具６１により、昇降用ワイヤ５０に固定される。ガイドワイヤ吊り治具６０は、溶接などにより昇降用ワイヤ５０に固定されていてもよい。
【００２２】
風管ガイドワイヤ７０は、風などによって後述する風管４０が振れるのを防止するために、風管４０の外周面に沿って垂下して配置される。本実施形態においては、掘削機１は、２本の風管ガイドワイヤ７０を備えている。これら風管ガイドワイヤ７０は、一端がロッド振止部材３０に取り付けられ、他端がガイドワイヤ吊り治具６０に取り付けられ、リーダ２０の正面側からリーダトップ２１を経由して背面側に至るように、リーダ２０に沿って摺動可能に配索される。
【００２３】
風管ガイドワイヤ７０の一端は、コイルスプリングなどの弾性部材３１を介してロッド振止部材３０に取り付けられている。このようにすることで、風管ガイドワイヤ７０に常時張力を与えた状態とすることができるので、風管ガイドワイヤ７０の弛みを効果的に抑制することができる。または、風管ガイドワイヤ７０は、作業に支障がでるような風管４０の振れを抑制できる程度に弛みを解消した状態で、その一端が直接ロッド振止部材３０に取り付けられていてもよい。また、風管ガイドワイヤ７０の他端が、コイルスプリングなどの弾性部材を介してガイドワイヤ吊り治具６０に取り付けられていてもよい。
【００２４】
風管ガイドワイヤ７０は、図２に示すように、他端に設けられた取り付け部材７５を介して、ガイドワイヤ吊り治具６０の取り付け部６２に取り付けられる。そして、昇降用ワイヤ５０の巻き取りおよび繰り出しにともなってロッド振止部材３０がレール２２上をスライド移動して昇降され、同時にガイドワイヤ吊り治具６０も昇降される。これにより、風管ガイドワイヤ７０は、弛みを抑制した状態で摺動移動される。
【００２５】
風管４０は、ロッド１０を内側に挿通させて配置され、掘削作業によって生じる土、汚泥等の飛散を抑制する機能を有する。風管４０は、伸縮自在な蛇腹構造を有する筒状カーテン４２と、その周方向に配置されて風管を補強する複数のリング４１から構成され、ロッド１０の動きに追従して伸び縮みさせることができる。筒状カーテン４２の構成部材は特に限定されず、例えば、布やビニール等を用いることができる。各リング４１は、風管ガイドワイヤ７０が挿通されるワイヤ挿通リング（図示なし）を備えている。各リング４１は、筒状カーテン４２の内周面側に配置され、筒状カーテン４２には、ワイヤ挿通リングを筒状カーテン４２の外周面側に露出させる開口部が形成されている。風管４０の下端は、ロッド振止部材３０に取り付けられて固定される。風管４０と、ガイドワイヤ吊り治具６０と、風管ガイドワイヤ７０とで、風管構造体を構成している。
【００２６】
補助ロッド振止部材８０は、風管４０の上端が取り付けられて固定される。補助ロッド振止部材８０は、内側にロッド１０を挿通して配置され、ロッド１０の中間部の振れ止めを行う機能を有する。補助ロッド振止部材８０は、支持部材を介して、リーダ２０のレール２２にスライド移動可能に支持される。補助ロッド振止部材８０は、例えば、図１に示す位置を移動可能範囲の下限とし、図３に示すようにロッド振止部材３０の上昇にともなって当該ロッド振止部材３０と間隔を維持した状態で上昇される。なお、補助ロッド振止部材８０を省略した構成としてもよい。この場合、ロッド振止部材３０の下降および上昇にともなって風管４０が伸びたり縮んだりするように、風管４０の上端がリーダ２０などに固定される。
【００２７】
次に、上述した掘削機１における動作の一例について説明する。
【００２８】
図１に示すように、掘削機１はロッド１０を回転させて掘削を行い、ある程度掘削が進むと、継ぎ足しロッド１５をロッド１０に継ぎ足してさらに深く掘り進む。すなわち、ロッド１０は、継ぎ足しロッド１５を継ぎ足しまたは切り離すことによって、その長さを変更することができる。そして、継ぎ足しロッド１５の継ぎ足しまたは切り離しをするために、リーダ２０を後方へ寝かせつつロッド振止部材３０を上昇させる。
【００２９】
本実施形態の掘削機１では、図３に示すように、昇降用ワイヤ５０を巻き取ることにより摺動移動させて、ロッド振止部材３０を上方にスライド移動させる。このとき、同時にガイドワイヤ吊り治具６０が風管ガイドワイヤ７０を引っ張って昇降用ワイヤ５０と同様に摺動移動されるので、風管ガイドワイヤ７０がロッド振止部材３０の下方に垂れ下がることがない。そのため、風管ガイドワイヤ７０が作業を妨げることがない。これに対し、従来の掘削機では、図４に示すように、リーダトップ２１から吊り下げられたワイヤ１１０の下端に、重みでワイヤ１１０を緊張させて風管４０の振れを抑えるウエイト１００が設けられている。そのため、ロッド振止部材３０が上昇すると、ロッド振止部材３０の下方にウエイト１００がぶら下がった状態となり、ウエイト１００が揺れることにより作業性が低下してしまう。
【００３０】
以上より、本実施形態の掘削機１によれば、風管の伸縮を案内する風管ガイドワイヤ７０が、昇降用ワイヤ５０の一端が取り付けられたロッド振止部材３０と昇降用ワイヤ５０に取り付けられたガイドワイヤ吊り治具６０との間に配索されているので、これらの間において風管ガイドワイヤ７０の弛みを抑制した状態で配索することができる。そのため、ウエイトを用いることなく風管４０の振れを抑制できる。
【００３１】
上述した実施形態では、掘削機１が風管４０、ガイドワイヤ吊り治具６０および風管ガイドワイヤ７０からなる風管構造体を備えた構成であったが、例えば、風管を有しない既存の掘削機に、上述した掘削機１が備える風管構造体を後付けしてもよい。
【００３２】
この風管構造体の後付け施工方法は、風管４０の内側に掘削機１のロッド１０を挿通させる工程と、風管４０に設けられた複数個のワイヤ保持具（図示せず）に、風管ガイドワイヤ７０を保持する工程と、風管ガイドワイヤ７０の一端をロッド振止部材３０に固定する工程と、風管ガイドワイヤ７０の他端を、昇降用ワイヤ５０に固定する工程とを含む。
【００３３】
上記に本考案の実施形態を説明したが、本考案はこれらの例に限定されるものではない。前述の実施形態に対して、当業者が適宜、構成要素の追加、削除、設計変更を行ったものや、実施形態の特徴を適宜組み合わせたものも、本考案の要旨を備えている限り、本考案の範囲に含まれる。
【産業上の利用可能性】
【００３４】
本考案の掘削機および風管構造体は、既製杭工事、障害撤去工事、地盤改良工事および山留壁工事等の工事に有用に適用することができる。
【符号の説明】
【００３５】
１…掘削機
２…ベースマシン
１０…ロッド
１１…駆動部材
１２…支持部材
１５…継ぎ足しロッド
２０…リーダ
２１…リーダトップ
２２…レール
３０…ロッド振止部材
３１…弾性部材
３２…支持部材
４０…風管
４１…リング
４２…筒状カーテン
５０…昇降用ワイヤ
５１…ドラム
６０…ガイドワイヤ吊り治具
６１…固定器具
６２…取り付け部
７０…風管ガイドワイヤ
７１、７２…滑車
７５…取り付け部材
８０…補助ロッド振止部材
【図１】
0003207409.tif 000003
【図２】
0003207409.tif 000004
【図３】
0003207409.tif 000005
【図４】
0003207409.tif 000006